(57)【要約】【課題】  クロスポイントの電圧を所定の電圧レベル以上に確保することを容易に実現すると共に光電変換手段のアナログ出力のサンプリングに影響がでないレベルでクロスポイントを調整することが可能な画像読取装置を提供する。【解決手段】  原稿画像を照明し、その光像を３ラインＣＣＤ１１１へ導く光学系と、３ラインＣＣＤ１１１をクロックで駆動するＣＣＤ駆動ドライバ部１３３と、ＣＣＤ駆動ドライバ部１３３へ供給するクロックを発生するタイミング回路１１２を有する画像読取装置において、タイミング回路１１２の第１相転送クロック、第２相転送クロック及び最終段転送クロックのクロックＤｕｔｙ比を調整する遅延発生内部回路とを備える。【選択図】  図１２
2005086338.tif 000002
【特許請求の範囲】
【請求項１】
原稿画像を照明し、その光像を光電変換手段へ導く光学系と、前記光電変換手段をクロックで駆動する駆動手段と、前記駆動手段へ供給するクロックを発生するタイミング信号発生手段とを有する画像読取装置において、
前記タイミング信号発生手段の第１相転送クロック、第２相転送クロック及び最終段転送クロックのクロックディユーティ比を調整するディユーティ比調整手段を有することを特徴とする画像読取装置。
【請求項２】
請求項１記載の画像読取装置において、
前記タイミング信号発生手段の内部回路の遅延値をレジスタで設定制御して前記光電変換手段へ供給する前記第１相転送クロック、前記第２相転送クロック及び前記最終段転送クロックのハイレベル期間を調整することを特徴とする画像読取装置。
【請求項３】
請求項１又は２に記載の画像読取装置において、
リセットクロックを有し、前記駆動手段が複数パッケージＩＣドライバであり、前記最終段転送クロック、前記リセットクロックを同一パッケージＩＣドライバで駆動することを特徴とする画像読取装置。
【請求項４】
請求項１又は２に記載の画像読取装置において、
リセットクロック、クランプクロックを有し、前記駆動手段が複数パッケージＩＣドライバであり、前記最終段転送クロック、前記リセットクロック、前記クランプクロックを同一パッケージＩＣドライバで駆動することを特徴とする画像読取装置。
【請求項５】
請求項１から４のいずれかに記載の画像読取装置において、
前記光電変換手段がＣＣＤであることを特徴とする画像読取装置。
【請求項６】
請求項１から５のいずれかに記載の画像読取装置において、
前記光電変換手段が３ラインカラーＣＣＤを含む複数ラインＣＣＤであることを特徴とする画像読取装置。
【発明の詳細な説明】
【技術分野】
【０００１】
本発明は、光電変換処理を行う際に、クロック信号を必要とする、スキャナ装置、デジタル複写機、デジタルカラー複写機、ファクシミリ装置、カラーファクシミリ装置などに搭載されている画像読取装置に関する。
【背景技術】
【０００２】
近年、光電変換処理を実行して画像の読取を行う画像読取装置が搭載された、スキャナ装置、デジタル複写機、デジタルカラー複写機、ファクシミリ装置、カラーファクシミリ装置などが普及してきている。
それに伴い、光電変換処理回路内のクロック信号を駆動させる技術が発達してきている。そして、特許文献１をはじめ、クロック信号を駆動させる技術について種々開示されている。特許文献１には、光電変換素子の出力タイミングを決定するクロック信号およびサンプルホールド信号を、同一の素子から供給する技術が開示されている。
ところで、光電変換に必要な光電変換手段（ＣＣＤ）は駆動手段を介した転送クロックＰＨ１（φ１）、ＰＨ２（φ２）、ＰＨ２Ｂ（φ２Ｂ）（最終段転送クロック）から駆動される。φ１，φ２は互いに逆相になっているが、このクロックのクロスポイントを光電変換手段によって電圧レベルは異なるが所定の電圧以上に確保する必要がある。クロスポイントの電圧を所定の電圧レベル以上確保することによって、正常な転送効率、ＰＲＮＵ（出力電圧不均一性）の悪化防止を実現することができる。
【特許文献１】特開平１１−１７７７８３号公報
【発明の開示】
【発明が解決しようとする課題】
【０００３】
しかしながら、クロスポイントの電圧を所定の電圧レベル以上確保することができない場合には、転送効率の低下、ＰＲＮＵの悪化を引き起こすおそれがある。また、ＣＣＤメーカーによる内部回路の差異によりクロスポイントを大きく変えるとＣＣＤアナログ出力にリンギングノイズが発生しやすいＣＣＤもある。
そこで、本発明は、上述した実情を考慮してなされたもので、クロスポイントの電圧を所定の電圧レベル以上に確保することを容易に実現すると共に光電変換手段のアナログ出力のサンプリングに影響がでないレベルでクロスポイントを調整することが可能な画像読取装置を提供することを目的とする。
【課題を解決するための手段】
【０００４】
上記の課題を解決するために、請求項１に記載の発明は、原稿画像を照明し、その光像を光電変換手段へ導く光学系と、前記光電変換手段をクロックで駆動する駆動手段と、前記駆動手段へ供給するクロックを発生するタイミング信号発生手段とを有する画像読取装置において、前記タイミング信号発生手段の第１相転送クロック、第２相転送クロック及び最終段転送クロックのクロックディユーティ比を調整するディユーティ比調整手段を有することを特徴とする。
また、請求項２に記載の発明では、請求項１記載の画像読取装置において、前記タイミング信号発生手段の内部回路の遅延値をレジスタで設定制御して前記光電変換手段へ供給する前記第１相転送クロック、前記第２相転送クロック及び前記最終段転送クロックのハイレベル期間を調整することを特徴とする。
また、請求項３に記載の発明では、リセットクロックを有し、前記駆動手段が複数パッケージＩＣドライバであり、前記最終段転送クロック、前記リセットクロックを同一パッケージＩＣドライバで駆動する画像読取装置を主要な特徴とする。
また、請求項４に記載の発明では、リセットクロック、クランプクロックを有し、前記駆動手段が複数パッケージＩＣドライバであり、前記最終段転送クロック、前記リセットクロック、前記クランプクロックを同一パッケージＩＣドライバで駆動する画像読取装置を主要な特徴とする。
また、請求項５に記載の発明では、前記光電変換手段がＣＣＤである画像読取装置を主要な特徴とする。
また、請求項６に記載の発明では、前記光電変換手段が３ラインカラーＣＣＤを含む複数ラインＣＣＤである画像読取装置を主要な特徴とする。
【発明の効果】
【０００５】
本発明によれば、転送クロックのＤｕｔｙ比を調整することにより、クロスポイントの電圧を所定の電圧レベル以上に確保することを容易に実現すると共に光電変換手段のアナログ出力のサンプリングに影響がでないレベルでクロスポイントを調整することが可能となる。
【発明を実施するための最良の形態】
【０００６】
以下、図面を参照して、本発明の実施の形態を詳細に説明する。図１は本発明の実施の形態である画像読取装置を適用した画像形成装置の概略を示した図である。図２は、画像読取装置に含まれる画像読取ユニット周辺の構成を示したブロック図である。図１、図２において、画像読取ユニット２は、原稿を光源により照射しながら走査して、原稿からの反射光による画像データを３ラインＣＣＤ（光電変換手段）により読み取り、画像データを画像処理ユニット３に送る。
画像処理ユニット３では、スキャナγ補正、色変換、主走査変倍、画像分離、加工、エリア処理、諧調補正処理などの画像処理を行ない、処理した画像データを画像書込ユニット４へ送る。画像書き込みユニット４では、画像データに応じてＬＤ（レーザーダイオード）の駆動を変調する。ドラムユニット８では一様に帯電された回転する感光体ドラムに前記ＬＤからのレーザービームにより潜像を書き込み、現像ユニット１０によりトナーを付着させて顕像化させる。
感光体ドラム上に作られた画像は、中間転写部９の中間転写ユニットの転写ベルト上に再転写される。中間転写ベルト上にはフルカラーコピーの場合４色のトナー（Ｂｋ、Ｃ、Ｍ、Ｙ）が順次重ねられる。フルカラーコピーの場合にはＢｋ、Ｃ、Ｍ、Ｙの４色作像・転写工程が終了した時点で中間転写ベルトとタイミングを合わせて、給紙部１１より転写紙が給紙され、紙転写部で中間転写ベルトから４色同時に転写紙にトナーが転写される。トナーが転写された転写紙は搬送部を経て定着部１２に送られ、定着ローラと加圧ローラによって熱定着され排紙される。
また、コピーモード等のユーザが設定するものは、操作部ユニット５によって入力される。設定されたコピーモード等の操作モードはシステム制御ユニット１に送られ、システム制御ユニット１では設定されたコピーモードを実行するための制御処理を行う。この時、システム制御ユニット１から、画像読取ユニット２、画像処理ユニット３、画像書込ユニット４、画像表示ユニット７、複写機機構部６などに対して制御指示を行う。
画像表示ユニット７に画像読取ユニット２から読み取った画像を表示するには、システム制御ユニット１からの制御指示により、画像読取ユニット２が原稿画像の読み取りをスタートし、画像読取ユニット２からの画像信号に対して、画像処理ユニット３において画像表示装置で表示するのに適した画像処理を行った後、画像表示装置に原稿の画像データを出力する。
【０００７】
画像処理ユニット３から出力された画像データは、図３に示す画像表示ユニット７の機能ブロック図のＦＩＦＯ２１を介して、ＣＰＵ２３内蔵のＤＭＡコントローラによって、画像データ格納用のＤＲＡＭ２２に格納される。画像表示ユニット７には画像データと共に画像データ制御信号も送られているので、有効画像領域だけを取り込む事が可能である。
ＤＲＡＭ２２に格納された有効画像データは、ＣＰＵ２３によってＶＲＡＭ２４にＤＭＡ転送される。この時ＣＰＵ２３によってＤＲＡＭ２２内の画像データの任意の部分を転送したり、拡大・縮小・間引き等の処理を行う事も可能である。ＶＲＡＭ２４に転送された画像データは、ＬＣＤＣ（ＬＣＤコントローラ２５）の制御によりＬＣＤパネルに表示される。
図４は、画像表示ユニット７の一例を示した図である。画像表示ユニット７は、画像をＬＣＤに表示させ、その画面内で編集・加工のエリア指定／モード設定を行うためのディスプレイエディタを兼用するようにしてもよい。図４の各設定キーは、図３の機能ブロック図においてはキーボード３１の部分に相当し、読取キー及び明るさ調整キーを備えている。
【０００８】
図５は、操作部ユニット５（図２）の一例を示した図である。操作部ユニット５は、テンキー４１、モードクリア／予熱キー４２、割り込みキー４３、画質調整キー４４、プログラムキー４５、プリントスタートキー４６、クリア／ストップキー４７、エリア加工キー４８、輝度調整つまみ４９、ＬＣＤに配置されたタッチパネルキー５０および初期設定キー５１を備えている。
テンキー４１はコピー枚数などの数値入力を行う場合に使用する。モードクリア／予熱キー４２は設定したモードを取り消して初期設定に戻す場合や、一定時間以上の連続押下で予熱状態とする設定を行う。割り込みキー４３はコピー中に割り込み、別の原稿のコピーを行う場合に使用する。画質調整キー４４は画質の調整を行うときに使用する。プログラムキー４５はよく使用するモードの登録や呼出を行う場合に使用する。プリントスタートキー４６はコピー開始の為のキーである。
クリア／ストップキー４７は入力した数値をクリアする場合や、コピー途中でコピーを中断する場合に使用する。エリア加工キー４８は画像表示ユニット７のディスプレイエディター上で、エリア加工・編集等のモードを使用する場合に使用する。輝度調整つまみ４９はＬＣＤパネルの画面の明るさを調整する。
また、タッチパネルキー５０はＬＣＤパネル上に表示された各種のキーの範囲と同じ範囲にキーエリアを設定して、タッチパネルが前記設定された範囲内の押下を検出すると、その設定されたキーの処理を行う。初期設定キー５１はユーザが各初期設定を選択できる時に押下する。
図６にＬＣＤ（液晶表示画面）の一例を示す。図６に示されるように、ＬＣＤ画面上でカラーモード、自動濃度、マニュアル濃度、画質モード、自動用紙選択、用紙トレイ、用紙自動変倍、等倍、ソート、スタック等のモード選択表示があり、さらにクリエイト、カラー加工、両面、変倍等のサブ画面選択表示もある。各表示の大きさと同様の大きさのキーがタッチパネル上に設定されている。
図７に図６上の変倍キー押下による画面展開の一例を示す。変倍キーが押下されると、画面下方から変倍設定画面がスクロールアップされる。変倍設定画面には定型変倍（予め変倍率が設定されている変倍モード）用のキーが設定されている。例えば７１％の部分のタッチパネルキーを押下すると、変倍率７１％が選択される。また、この画面には定型変倍以外の変倍モードを選択するため、ズームキー、寸法変倍キー、独立変倍／拡大連写キーが画面左側に設定されている。
【０００９】
図８はタッチパネル検出回路の一例を表したものであり、図９はＸ１、Ｘ２、Ｙ１、Ｙ２の設定状態を表したものである。コントローラは検出端子をＨｉｇｈ状態にして、Ｘ１、Ｘ２、Ｙ１、Ｙ２を図９に示されるように設定する。Ｙ１、Ｙ２の回路は抵抗でプルアップされているので、タッチパネルがオフのときＹ１は＋５ｖになり、オンの時は０ｖになる。
従って、Ａ／Ｄコンバータの出力からオン／オフの状態を確認する。コントローラは、タッチパネルがオンの状態を検知すると測定モードに切り換える。Ｘ方向の時はＸ１は＋５ｖ、Ｘ２は０ｖになり、入力位置の電位がＹ１を通してＡ／Ｄコンバーターに接続されて座標が算出される。Ｙ方向の座標も回路を切り換えて同様に算出される。このような検出回路によって、タッチパネルの押下位置が検出される。
図１０は操作部ユニット５（図２）のブロック図を示したものである。ＣＰＵ２３からのアドレス信号はアドレスラッチ５６に取り込まれ、ＣＰＵ２３からの信号によりここでコントロールされる。アドレスラッチ５６を出たアドレス信号はその一部がアドレスデコーダ５７に入り、ここで各ＩＣへのチップセレクト信号を作り、メモリマップの作成に使用される。また、アドレスはＲＯＭ５８ｂ、ＲＡＭ５９等のメモリやＬＣＤコントローラ２５に入りアドレス指定に使用される。
一方、ＣＰＵ２３からのデータバスはメモリやＬＣＤコントローラ２５に接続され、データの双方向通信が行われる。ＬＣＤコントローラ２５はＣＰＵ２３からのアドレスバス、データバスの他に、ＬＥＤドライバ６０、キーボード３１、アナログタッチパネル６１、ＬＣＤモジュール６２、そして表示データ用のＲＯＭ５８ａ、ＲＡＭ５９等が接続されている。
ＬＣＤコントローラ２５はキーボード３１からの信号やタッチパネル６１からの信号によりＲＯＭ５８ａ、ＲＡＭ５９のデータから表示データを作成し、ＬＣＤ上への表示をコントロールする。また、ＣＰＵ２３には光ファイバー用コネクタが接続されており、外部との通信を行っている。
【００１０】
図１１は、本発明の実施の形態である画像読取装置のスキャナＩＰＵ（イメージ・プロセッシング・ユニット）制御部の構成を示したブロック図である。スキャナＩＰＵ制御部上のＣＰＵ１０１はＲＯＭ１０２に格納されたプログラムを実行し、ＲＡＭ１０３にデータ等を読み書きすることでスキャナＩＰＵ部の全体の制御を行っている。
また、ＣＰＵ１０１は、システム制御部１０４とシリアル通信で接続されおり、コマンド及びデータの送受信により指令された動作を行う。システム制御部は操作表示部１０５とシリアル通信で接続されており、ユーザからのキー入力指示により動作モード等の指示を設定することができる。
ＣＰＵ１０１はＩ／Ｏ１０６である原稿検知センサ、ＨＰセンサ、圧板開閉センサ、冷却ファン等に接続されており検知及びオン／オフの制御をしている。モータドライバ１０７はＣＰＵ１０１からのＰＷＭ（パルス幅変調）出力によりドライブされ、励磁パルスシーケンスを発生し、原稿走査駆動用のパルスモータ１０８を駆動する。
原稿画像はランプレギュレータ１０９に駆動されたハロゲンランプ１１０の光量出力により光信号を複数ミラー及びレンズを通り３ラインＣＣＤ１１１に結像される。３ラインＣＣＤ１１１はスキャナＩＰＵ制御上のタイミング回路１１２（タイミング信号発生手段）によって、各駆動クロックを与えられて各ＲＧＢのｏｄｄ（奇数）、ｅｖｅｎ（偶数）のアナログの画像信号をエミッタホロワ１１３〜１１５に出力している。
エミッタホロワ１１３〜１１５からアナログ処理回路１１６〜１１８へ入力された信号はアナログ処理回路１１６〜１１８内で減算法を実行し、ＣＣＤのオプティカルブラック部でラインクランプを実施し、ｏｄｄとｅｖｅｎの出力差を補正し、それぞれのアンプゲイン調整を行う。ゲイン調整後はマルチプレクサで合成して、最終的にＤＣレベルのオフセット調整後にＡ／Ｄコンバータ１１９〜１２１へ入力される。
【００１１】
Ａ／Ｄコンバータ１１９〜１２１へ入力されたアナログ信号はデジタル化されてシェーディング補正１２２へ入力される。シェーディング補正１２２は照明系の光量不均一やＣＣＤの画素出力のバラツキを補正する機能を持っている。シェーディング補正された画像データはライン間補正メモリ１２３、１２４へ入力されて３ラインＣＣＤ１１１のＢとＧ、ＢとＲのライン数の画像データをメモリで遅延させてＢＧＲの読取画像の１ライン以上の位置合わせを行いドット補正１２５へ出力する。
ドット補正１２５ではライン間補正メモリ１２３、１２４から出力された画像データをＲＧＢデータの１ライン以内ドットのズレを補正する。スキャナγ補正１２６では、反射率リニアデータをルックアップテーブル方式で補正を行う。この補正後の画像データは自動原稿色判定回路１２８と自動画像分離回路１２９とディレーメモリ１２７を介してＲＧＢフィルタ１３０ａ、色変換１３０ｂ、変倍処理１３０ｃ、クリエイト１３０ｄに入力される。
自動原稿色判定回路１２８では、ＡＣＳ（有彩／無彩判定）処理を自動画像分離回路（文字／網点）１２９に入力して行う。ＡＣＳ処理では黒、及び灰色の判定を行う。像域分離処理ではエッジ判定（白画素と黒画素の連続性により判定）、網点判定（画像中の山／谷ピーク画素の繰り返しパターンにより判定）、写真判定（文字・網点外で画像データある場合）を行い文字及び印刷（網点）部、写真部の領域を判定してＣＰＵ１０１に伝え、後段のＲＧＢフィルタ１３０ａ、色変換プリンタγ補正、ＹＭＣＫフィルタ、階調処理でパラメータや係数の切り換えに使用される。
【００１２】
画像データはＲＧＢフィルタ１３０ａに入力される。ＲＧＢフィルタ１３０ａでは、ＲＧＢのＭＴＦ補正、平滑化、エッジ強調、スルー等のフィルタ係数が先の判定領域により切り換え設定される。色変換処理１３０ｂではＲＧＢデータからＹＭＣＫ変換、ＵＣＲ、ＵＣＡ処理を実行する。そして、変倍処理１３０ｃに入力され、主走査の画像データに対して拡大／縮小処理を実行する。画像表示部１３２の分岐はこの処理後に行われる。Ｉ／Ｆを介して画像表示部１３２に接続されている。
クリエイト１３０ｄでは、クリエイト編集、カラー加工を行う。クリエイト編集では斜体、ミラー、影付け、中抜き処理等を実行する。カラー加工では、カラー変換、指定色消去、アンダーカラー等を実行する。プリンタγ処理１３１ａ、ＹＭＣＫフィルタでは、先の判定領域に基づいてプリンタγ変換とフィルタ係数の設定をする。
階調処理ではディザ処理を実行し、ビデオコントロールでは書き込みタイミング設定や画像領域、白抜き領域の設定やグレースケールやカラーパッチ等のテストパターン発生を行うことができ、最終画像データを書き込み処理でＬＤ（レーザーダイオード）へ出力できるように処理してＬＤへ出力する。各機能処理はＣＰＵ１０１に接続されおり、ＲＯＭ１０２に格納されているプログラムにより各処理の設定と動作をシステム制御部１０４の指示により実行する。
【００１３】
図１２は、タイミング回路１１２と３ラインＣＣＤ１１１との間にＣＣＤ駆動ドライバ部１３３（駆動手段）を設けた画像読取装置のスキャナＩＰＵ制御部の構成を示したブロック図である。タイミング回路１１２では発振器からのクロックをＰＬＬ（位相ロックループ）回路の入力としてＣＰＵバスＩ／Ｆを介してレジスタの設定で分周器を設定して４逓倍クロックを発生する。このクロックが基になって各種クロックを発生する。本タイミング回路１１２のＣＣＤクロック発生回路からＣＣＤを駆動する第１相転送クロック、第２相転送クロック、最終段転送クロック、リセットクロック、クランプクロック、シフトゲートクロックを発生してＣＣＤ駆動ドライバ部１３３へ入力される。
図１３は、ＣＣＤ駆動ドライバ部１３３及び３ラインＣＣＤ１１１の詳細構成を示したブロック図である。図のように、３ラインＣＣＤ１１１の第１、２相転送クロックは入力容量がＭＡＸ１５０ｐＦ、ＴＹＰ１００ｐＦの端子が各８端子ある。駆動ドライバとしてはＡＣＴ０４を使用している。第１、２相転送クロックの１端子に対してＡＣＴ０４を２個並列に接続して駆動する必要がある。ＡＣＴ０４の入力容量をＭＡＸ１０ｐＦとしてタイミング回路１１２の入力容量は１端子で駆動する場合は各端子は波形整形及びタイミング微調整用のコンデンサ４７ｐＦを含めてＭＡＸ１０×１６＋４７＝２０７ｐＦとなる。
【００１４】
図１４は、ＣＣＤ駆動ドライバ部１３３にＡＣＴ０４のパッケージスキューがない場合の入出力のタイミングチャートを示した図である。ドライバ入力（タイミング回路１１２出力）であるＸＰＨ１、ＸＰＨ２，ＸＰＨ２ＢはクロックＤｕｔｙ比５０：５０のＴ１：Ｔ１と等しくなっている。この信号がＡＣＴ０４の入力となり反転してドライバ出力としてＣＣＤを駆動する。ＣＣＤ入力転送クロックのＰＨ１、ＰＨ２、ＰＨ２Ｂで同様にＤｕｔｙ比５０：５０のＴ１：Ｔ１と等しくなっている。
この時のＰＨ１とＰＨ２のクロスポイントはＰＨ１の立ち下がり、立ち上がりどちらも２Ｖ以上であり、クロスポイントの規格値を満足している。同様に、ＰＨ１とＰＨ２ＢのクロスポイントもＰＨ１の立ち下がり、立ち上がりどちらも２Ｖ以上であり、クロスポイントの規格値を満足している。
上述したように、図１４はドライバＩＣでのスキューがない場合のタイミングチャートを示している。実際には図１５に示すように、ＡＣＴ０４の伝搬遅延時間がロットＡ、Ｂ、Ｃにより温度によっては最大４ｎｓ程度のバラツキが発生する。このロット間のバラツキはＡＣＴ０４のパッケージのバラツキとなる。図１３の回路図においてＰＨ１（φ１Ａ）、ＰＨ２（φ２Ａ）、ＰＨ２Ｂ（φ２Ｂ）はそれぞれ異なるパッケージのＡＣＴ０４から駆動されているため、図１５に示すバラツキによりクロックスキューが発生する場合が考えられる。
図１６は、ＣＣＤ駆動ドライバ部１３３にＡＣＴ０４のパッケージスキューがある場合の入出力のタイミングチャートを示した図である。ドライバ出力のＰＨ１とＰＨ２のスキューＴｓ１、ＰＨ１とＰＨ２ＢのスキューＴｓ２のスキューが発生した場合、このＴｓ１、Ｔｓ２の値が大きいと図１６のクロスポイントの状況を見て分かるとおり、ＰＨ１とＰＨ２、ＰＨ１とＰＨ２ＢのどちらもＰＨ１の立ち下がりでクロスポイントが２Ｖ以下となって規格を満足できない。そのため、転送効率の低下、ＰＲＮＵの悪化をまねくことになる。
【００１５】
本発明は、クロスポイントの確保を容易にできることと上述のドライバＩＣのパッケージの伝搬遅延時間のバラツキ、その他タイミング回路１１２でのバラツキ等があってもタイミング回路１１２の転送クロックのＤｕｔｙを調整することで確実にクロスポイントを確保できるようにしたものである。図１７を用いて転送クロックＤｕｔｙ変更方法について説明する。
図１７のタイミングチャートで（１）の基準信号は、Ｄｕｔｙ５０：５０のＴ１：Ｔ１の信号である。この（１）の基準信号からディレー時間Ｔｄ３遅らせた（２）の信号（基準信号＋Ｔｄ３）をつくり、（１）と（２）の信号より論理積を取ることでＸＰＨ１を作成する。同様に（１）と（２）の信号よりそれぞれインバートした信号の論理積を取ることでＸＰＨ２、ＸＰＨ２Ｂを作成する。以上より、Ｄｕｔｙ（Ｔ１−Ｔｄ３）：（Ｔ１＋Ｔｄ３）の転送クロックを作り出す。
図１８は、タイミング回路１１２のクロックＤｕｔｙの変更時における、ＣＣＤ駆動ドライバ部１３３にＡＣＴ０４のパッケージスキューがない場合の入出力のタイミングチャートを示した図である。タイミング回路出力と同様にＣＣＤ入力転送クロックのＤｕｔｙは、（Ｔ１−Ｔｄ３）：（Ｔ１＋Ｔｄ３）となっている。クロスポイントも図１４の通常時に比べてより高い電圧でクロスポイントを向かえることができるため余裕度が拡がっている。
図１９は、タイミング回路１１２のクロックＤｕｔｙの変更時における、ＣＣＤ駆動ドライバ部１３３にＡＣＴ０４のパッケージスキューがある場合の入出力のタイミングチャートを示した図である。ドライバ出力のＰＨ１とＰＨ２のスキューＴｓ１、ＰＨ１とＰＨ２ＢのスキューＴｓ２のスキューが発生した場合、このＴｓ１，Ｔｓ２の値は図１６と同じスキュー量である。図１９のクロスポイントの状況を見て分かるとおり、ＰＨ１とＰＨ２、ＰＨ１とＰＨ２ＢのどちらもＰＨ１の立ち下がりでクロスポイントが２Ｖ以上となりＣＣＤの規格を満足している。スキューが生じでも転送効率の低下、ＰＲＮＵの悪化をまねくことがない高信頼で高安定な読取を実現できる。
【００１６】
図２０にクロックＤｕｔｙ比を任意に調整する遅延発生内部回路（Ｄｕｔｙ比調整手段）を示す。遅延発生内部回路の入力している（１）信号は図１７のＤｕｔｙ変更方法タイミングチャートの（１）基準信号を入力する。これはＤｕｔｙ５０：５０のＴ１：Ｔ１の信号である。
（１）から入力された信号はレジスタ設定部により選択されたスイッチが１回路閉じることにより遅延なし、又は遅延量Ｔｄ１〜Ｔｄ７が選択される。遅延素子はＣ、Ｒ、Ｌ等何でも良いが本例ではゲートで実現している。ゲートを直列に多段にすることで遅延量を設定する。（２）出力は図１７の（２）基準信号＋Ｄｅｌａｙ：Ｔｄ３として出力される。図２０はＴｄ３が選択されている状態である。
図２１に遅延なし、又はＴｄ１〜Ｔｄ７遅延発生レジスタのｂｉｔ割付を示す。下位３ｂｉｔのＢ０、Ｂ１、Ｂ２により８種類の遅延量を選択できる。本例では遅延量は０．２ｎｓステップで０．２ｎｓ〜１．４ｎｓ範囲としているが、これにとらわれずステップ幅を決めてもよい、また、均等ステップでなくてもよい。したがって、ドライバＩＣのスキューが大きくてもクロスポイント位置（電圧）を確保することができる。ただし、ＣＣＤによってはクロスポイント位置を変更すると、すなわちＤｕｔｙ５０：５０を崩すとＣＣＤアナログ信号にリンギングが発生する場合がある。
【００１７】
図２２はクロスポイント位置とＣＣＤアナログ信号波形を示したものである。（１）はＤｕｔｙ５０：５０の遅延なしの時でありリンギングノイズは発生していない。この状態は遅延量Ｔｄ１〜Ｔｄ３までならばリンギングも小さく問題ないレベルとなる。（２）はクロスポイント位置を大きくずらした場合として遅延量Ｔｄ６、Ｔｄ７示す。このときはリンギングノイズも大きく発生して後段でのサンプリングポイントのタイミングマージンを減らしてしまうことになる。遅延量をレジスタで設定できるので、この様な場合は遅延なしまたは遅延量を小さくすることでこの不具合を解消することができる。
最終段転送クロック（ＰＨ２Ｂ）、リセットクロック（ＲＳ）、クランプクロック（ＣＰ）を同一パッケージ内にすることで最終段転送クロックにおけるスキューを最小限に止めることができる。また、ＣＣＤ駆動容量が大きくなる複数ラインＣＣＤに対して大きな効果をもたらす。また、高速読取においてＣＣＤの出力期間が充分に確保できていない場合にはパッケージ間のバラツキの影響を小さくできることで高信頼で安定した読取を実現できる。なお、本例では６回路入りのＡＣＴ０４をＣＣＤ駆動ドライバとして示したが、８回路入りの例えばＬＶ２４４等を使用しても実現可能である。
【００１８】
このように、本発明の実施の形態によれば、転送クロックの５０：５０のＤｕｔｙ比を微調整することにより、クロスポイントの電圧を所定の電圧レベル以上に確保することを容易に実現し、転送効率の低下、ＰＲＮＵ（出力電圧不均一性）の悪化を防ぐことができる。また、ＣＣＤメーカーによる内部回路の差異によりクロスポイントを大きく変えるとＣＣＤアナログ出力にリンギングノイズが発生する場合に対しては、５０：５０のＤｕｔｙ比の状態にもできるし、ＣＣＤアナログ出力のサンプリングに影響がでないレベルで調整することができる。このように使用するＣＣＤによって対応できるという効果がある。
また、パッケージ間の遅延バラツキ量によって内部回路のＤｅｌａｙ値をレジスタで設定制御できるので個別に調整することが可能となる。ＣＰＵ等のコントローラによって制御できるという効果がある。また、光電変換手段（ＣＣＤ）が最終段転送クロック（ＰＨ２Ｂ）、リセットクロック（ＲＳ）からなる場合に出力タイミングを決定する上記２信号について同一パッケージＩＣドライバで駆動することにより、パッケージ間の遅延バラツキがなくなりリセットクロック（ＲＳ）よりドライブされるφＲＳのタイミング適正化されて固体間のリセット不良を低減する効果がある。
また、光電変換手段（ＣＣＤ）が最終段転送クロック（ＰＨ２Ｂ）、リセットクロック（ＲＳ）クランプクロック（ＣＰ）からなる場合に出力タイミングを決定する上記３信号について同一パッケージＩＣドライバで駆動することにより、パッケージ間の遅延バラツキがなくなりクランプクロック（ＣＰ）よりドライブされるφＣＰのタイミング適正化されて固体間のクランプ領域が増減することがなくなることにより安定したＳＮを確保する効果がある。
また、光電変換手段をＣＣＤとすることで縮小光学系が可能となり、焦点深度が得られることから原稿浮きやある程度の立体物の読取も焦点ボケのない読み取りが可能になる。また、光電変換手段が３ラインカラーＣＣＤを含む複数ラインＣＣＤの場合、転送クロックが複数ライン毎に必要となり、また、駆動するドライバも多数必要となり、複数パッケージＩＣドライバも必要になるが、本例の駆動方式を取った場合、クロスポイントのバラツキ、リセットクロックのバラツキ、クランプクロックのバラツキがそれぞれかみ合わさって読取品質が低下することが防止される。
【図面の簡単な説明】
【００１９】
【図１】本発明の実施の形態である画像読取装置を適用した画像形成装置の概略断面図である。
【図２】画像読取装置に含まれる画像読取ユニット周辺の構成を示すブロック図である。
【図３】画像表示ユニット７の機能ブロック図である。
【図４】画像表示ユニット７の一例を示す図である。
【図５】操作部ユニット５の一例を示す図である。
【図６】ＬＣＤ（液晶表示画面）の一例を示す図である。
【図７】変倍キー押下による画面展開の一例を示す図である。
【図８】タッチパネル検出回路の一例を示す図である。
【図９】Ｘ１、Ｘ２、Ｙ１、Ｙ２の設定状態を示す図である。
【図１０】操作部ユニット５のブロック図である。
【図１１】画像読取装置のスキャナＩＰＵ制御部の構成を示すブロック図である。
【図１２】ＣＣＤ駆動ドライバ部１３３周辺のブロック図である。
【図１３】ＣＣＤ駆動ドライバ部１３３及び３ラインＣＣＤ１１１の詳細構成を示すブロック図である。
【図１４】ＡＣＴ０４のパッケージスキューがない場合の入出力のタイミングチャートを示す図である。
【図１５】ＡＣＴ０４の伝搬遅延時間を示した図である。
【図１６】ＡＣＴ０４のパッケージスキューがある場合の入出力のタイミングチャートを示す図である。
【図１７】転送クロックＤｕｔｙ変更方法を説明する図である。
【図１８】タイミング回路１１２のクロックＤｕｔｙの変更時において、ＡＣＴ０４のパッケージスキューがない場合の入出力のタイミングチャートを示す図である。
【図１９】タイミング回路１１２のクロックＤｕｔｙの変更時において、ＡＣＴ０４のパッケージスキューがある場合の入出力のタイミングチャートを示す図である。
【図２０】遅延発生内部回路（Ｄｕｔｙ比調整手段）の構成を示す図である。
【図２１】遅延なし又はＴｄ１〜Ｔｄ７遅延発生レジスタのｂｉｔ割付を示す図である。
【図２２】クロスポイント位置とＣＣＤアナログ信号波形を示す図である。
【符号の説明】
【００２０】
１  システム制御ユニット
２  画像読取ユニット
３  画像処理ユニット
４  画像書込ユニット
５  操作部ユニット
６  複写機機構部
７  画像表示ユニット
８  ドラムユニット
９  中間転写部
１０  現像ユニット
１１  給紙部
１２  定着部
２１  ＦＩＦＯ
２２  ＤＲＡＭ
２３，１０１  ＣＰＵ
２４  ＶＲＡＭ
２５  ＬＣＤコントローラ
３１  キーボード
４１  テンキー
４２  モードクリア／予熱キー
４３  割り込みキー
４４  画質調整キー
４５  プログラムキー
４６  プリントスタートキー
４７  クリア／ストップキー
４８  エリア加工キー
４９  輝度調整つまみ
５０  タッチパネルキー
５１  初期設定キー
５６  アドレスラッチ
５７  アドレスデコーダ
５８ａ，５８ｂ，１０２  ＲＯＭ
５９，１０３  ＲＡＭ
６０  ＬＥＤドライバ
６１  アナログタッチパネル
６２  ＬＣＤモジュール
１０４  システム制御部
１０５  操作表示部
１０６  Ｉ／Ｏ
１０７  モータドライバ
１０８  パルスモータ
１０９  ランプレギュレータ
１１０  ハロゲンランプ
１１１  ３ラインＣＣＤ
１１２  タイミング回路
１１３〜１１５  エミッタホロワ
１１６〜１１８  アナログ処理回路
１１９〜１２１  Ａ／Ｄコンバータ
１２２  シェーディング補正
１２３，１２４  ライン間補正メモリ
１２５  ドット補正
１２６  スキャナγ補正
１２７  ディレーメモリ
１２８  自動原稿色判定回路
１２９  自動画像分離回路
１３０ａ  ＲＧＢフィルタ
１３０ｂ  色変換
１３０ｃ  変倍処理
１３０ｄ  クリエイト
１３１ａ  プリンタγ処理
１３２  画像表示部
１３３  ＣＣＤ駆動ドライバ部
【図１】
2005086338.tif 000003
【図２】
2005086338.tif 000004
【図３】
2005086338.tif 000005
【図４】
2005086338.tif 000006
【図５】
2005086338.tif 000007
【図６】
2005086338.tif 000008
【図７】
2005086338.tif 000009
【図８】
2005086338.tif 000010
【図９】
2005086338.tif 000011
【図１０】
2005086338.tif 000012
【図１１】
2005086338.tif 000013
【図１２】
2005086338.tif 000014
【図１３】
2005086338.tif 000015
【図１４】
2005086338.tif 000016
【図１５】
2005086338.tif 000017
【図１６】
2005086338.tif 000018
【図１７】
2005086338.tif 000019
【図１８】
2005086338.tif 000020
【図１９】
2005086338.tif 000021
【図２０】
2005086338.tif 000022
【図２１】
2005086338.tif 000023
【図２２】
2005086338.tif 000024